(57)【要約】【課題】予め決められた照明における照明ユニットが故障していても、他の照明ユニットへ電源供給を切り替えて停電時に乗りかご内で可能な限り照度を保てるエレベータ用乗りかご内照明装置を提供する。【解決手段】この装置では、制御装置６の制御指令により一定時間エレベータの利用がないときにＬＥＤ照明３のＬＥＤ照明ユニット３ａ、３ｂ、３ｃ、３ｄの１つ（例えば３ａ）を除いて電源遮断装置８により電源ユニット２ａ、２ｂからの直流電源供給を遮断すると共に、そのユニット（３ａ）の電流異常検出装置５による検出結果に基づいて異常がなければユニット（３ａ）を停電灯とみなして停電時にバッテリ電源供給装置９、９′を制御してバッテリ７から電源供給を行わせ、異常があれば装置８により直流電源供給を遮断すると共に、他の１つのユニット（例えば３ｂ）を停電灯とみなして停電時に装置９、９′を制御してバッテリ７から電源供給を行わせる。【選択図】図１
2015003787.tif 000002
【特許請求の範囲】
【請求項１】
建物に設備される昇降路内における各階床間を昇降する乗りかごに取り付けられるエレベータ用乗りかご内照明装置であって、
発光素子を縦横に所定数配列して構成される照明ユニットを複数持つ照明と、電源電力を供給する商用電源と、前記複数の照明ユニットに対して前記商用電源からの前記電源電力を直流電源に変換して供給することで点灯させる複数の電源ユニットと、前記複数の照明ユニットに流れる電流を検出する電流検出器と、前記電流検出器により検出される電流値に基づいて前記複数の照明ユニットに流れる電流の異常を検出する電流異常検出装置と、前記複数の照明ユニットへの前記直流電源の供給を遮断する電源遮断装置と、前記電源遮断装置での前記直流電源の供給の遮断を制御する制御装置と、前記電源遮断装置での前記直流電源の供給の遮断時に前記複数の照明ユニットへ電源を供給するバッテリと、前記制御装置の制御指令により前記電源遮断装置での前記複数の照明ユニットへの前記直流電源の供給の遮断時に当該複数の照明ユニットへ個々に前記バッテリからの電源を供給するバッテリ電源供給装置と、前記制御装置の制御指令により前記電源遮断装置での前記複数の照明ユニットへの前記直流電源の供給の遮断を個々に制御すると共に、前記バッテリ電源供給装置での当該複数の照明ユニットへの前記バッテリからの電源の供給を個々に制御する電子スイッチと、を備え、
前記制御装置は、一定時間エレベータの利用がないときに前記電子スイッチを制御して前記複数の照明ユニットの１つを除いて前記電源遮断装置により前記直流電源の供給を遮断すると共に、当該１つの照明ユニットの前記電流異常検出装置による検出結果に基づいて異常がなければ当該１つの照明ユニットを停電灯とみなして停電時に前記バッテリ電源供給装置を制御して前記バッテリから電源供給を行わせ、異常があれば当該電子スイッチを制御して当該電源遮断装置により当該直流電源の供給を遮断すると共に、他の１つの照明ユニットを停電灯とみなして停電時に当該バッテリ電源供給装置を制御して当該バッテリから電源供給を行わせることを特徴とするエレベータ用乗りかご内照明装置。
【請求項２】
請求項１記載のエレベータ用乗りかご内照明装置において、前記制御装置は、前記１つの照明ユニットについて、前記電流異常検出装置による検出結果に基づいて異常がなくて停電灯とみなした場合、当該１つの照明ユニットを正常であると記録した後、次回以降は前記複数の照明ユニットにおける別な照明ユニットを対象にして１つずつ順次電流異常の点検を行い、当該異常があって当該停電灯とみなせない場合、当該１つの照明ユニットを異常であると記録した後、次回以降は当該１つの照明ユニットを除外した当該複数の照明ユニットにおける別な照明ユニットを対象にして１つずつ順次電流異常の点検を行うことにより、当該複数の照明ユニットにおける当該検出結果の記録を蓄積すると共に、正常なものを対象にした電流異常の点検を継続して行うことを特徴とするエレベータ用乗りかご内照明装置。
【請求項３】
請求項１又は２記載のエレベータ用乗りかご内照明装置において、前記照明は、前記発光素子を発光ダイオードとし、前記照明ユニットをＬＥＤ照明ユニットとするＬＥＤ照明であることを特徴とするエレベータ用乗りかご内照明装置。
【発明の詳細な説明】
【技術分野】
【０００１】
本発明は、エレベータの乗りかごに備えられた照明の照明ユニットを切り替えて停電灯として使用する機能を持つエレベータ用乗りかご内照明装置に関する。
【背景技術】
【０００２】
従来、この種のエレベータ用乗りかご内照明装置に関連する周知技術としては、例えばかご内の限られたスペースを効率的に利用可能な照明灯を実現するため、乗りかごの天井に複数個の白色発光素子を所定の間隔で縦横に配列したかご内照明灯を取り付け、従来の白熱灯や蛍光灯に近い色の光を発することにより、かご内を照明する「エレベータのかご内照明装置」（特許文献１参照）が挙げられる。
【先行技術文献】
【特許文献】
【０００３】
【特許文献１】特開２００４−３３８８２５号公報
【発明の概要】
【発明が解決しようとする課題】
【０００４】
上述した特許文献１に係る技術は、乗りかごの天井に複数個の発光素子を直列接続したアームを基本構成とし、１本以上のアームを並列接続及び直列接続の少なくとも一方により照明を構成し、通常時は商用電源から得られる直流電流が供給され、商用電源の遮断時には少なくとも１つの並列接続されたアーム間又は直列接続されたアーム間に自動的に直流電源を供給して停電灯として使用する機能を持たせているが、機能上では商用電源間で駆動するリレーを取り付け、商用電源が遮断するとリレーがオフ状態になって蓄電池から予め決められた照明における照明ユニットの発光素子に電源供給される構成であるため、係る予め決められた照明ユニットの故障時に商用電源の遮断が発生すると、停電灯として機能しなくなってしまうという問題がある。
【０００５】
本発明は、このような問題点を解決すべくなされたもので、その技術的課題は、予め決められた照明における照明ユニットが故障していても、他の照明ユニットへ電源供給を切り替えて停電時に乗りかご内で可能な限り照度を保つことができるエレベータ用乗りかご内照明装置を提供することにある。
【課題を解決するための手段】
【０００６】
上記技術的課題を解決するため、本発明は、建物に設備される昇降路内における各階床間を昇降する乗りかごに取り付けられるエレベータ用乗りかご内照明装置であって、発光素子を縦横に所定数配列して構成される照明ユニットを複数持つ照明と、電源電力を供給する商用電源と、複数の照明ユニットに対して商用電源からの電源電力を直流電源に変換して供給することで点灯させる複数の電源ユニットと、複数の照明ユニットに流れる電流を検出する電流検出器と、電流検出器により検出される電流値に基づいて複数の照明ユニットに流れる電流の異常を検出する電流異常検出装置と、複数の照明ユニットへの直流電源の供給を遮断する電源遮断装置と、電源遮断装置での直流電源の供給の遮断を制御する制御装置と、電源遮断装置での直流電源の供給の遮断時に複数の照明ユニットへ電源を供給するバッテリと、制御装置の制御指令により電源遮断装置での複数の照明ユニットへの直流電源の供給の遮断時に当該複数の照明ユニットへ個々にバッテリからの電源を供給可能なバッテリ電源供給装置と、制御装置の制御指令により電源遮断装置での複数の照明ユニットへの直流電源の供給の遮断を個々に制御すると共に、バッテリ電源供給装置での当該複数の照明ユニットへのバッテリからの電源の供給を個々に制御する電子スイッチと、を備え、制御装置は、一定時間エレベータの利用がないときに電子スイッチを制御して複数の照明ユニットの１つを除いて電源遮断装置により直流電源の供給を遮断すると共に、当該１つの照明ユニットの電流異常検出装置による検出結果に基づいて異常がなければ当該１つの照明ユニットを停電灯とみなして停電時にバッテリ電源供給装置を制御してバッテリから電源供給を行わせ、異常があれば当該電子スイッチを制御して当該電源遮断装置により当該直流電源の供給を遮断すると共に、他の１つの照明ユニットを停電灯とみなして停電時に当該バッテリ電源供給装置を制御して当該バッテリから電源供給を行わせることを特徴とする。
【発明の効果】
【０００７】
本発明のエレベータ用乗りかご内照明装置によれば、乗りかごに取り付けられる複数の照明ユニットを持つ照明における１つの照明ユニットを停電灯として兼用する際、制御装置の制御指令によりその照明ユニットについての電流検出の結果に応じて正常であればそのまま停電時に使用し、異常があれば停電灯とはせず、他の１つの照明ユニットを停電灯として停電時に使用するため、予め決められた照明における照明ユニットが故障していても、他の照明ユニットへ電源供給を切り替えて使用することができるため、停電時に乗りかご内で可能な限り照度を保ち、照度を低下させる不具合を防止することができるようになる。
【図面の簡単な説明】
【０００８】
【図１】本発明の実施例１に係るエレベータ用乗りかご内照明装置の基本構成を示した回路図である。
【図２】図１に示すエレベータ用乗りかご内照明装置の要部である制御装置による電子スイッチを用いた電源遮断装置及びバッテリ電源供給装置への電源切り替え機能を示した回路図である。
【図３】図１に示すエレベータ用乗りかご内照明装置の要部である制御装置による電源切り替え機能の動作処理を示したフローチャートである。
【発明を実施するための形態】
【０００９】
以下に、本発明のエレベータ用乗りかご内照明装置について、実施例を挙げ、図面を参照して詳細に説明する。
【実施例１】
【００１０】
図１は、本発明の実施例１に係るエレベータ用乗りかご内照明装置の基本構成を示した回路図である。このエレベータ用乗りかご内照明装置は、従来通りに建物に設備される昇降路内における各階床間を昇降するエレベータの乗りかごに取り付けられるもので、発光素子として発光ダイオード（ＬＥＤ）を縦横に所定数配列して構成される複数（ここでは４系統）のＬＥＤ照明ユニット３ａ、３ｂ、３ｃ、３ｄを持つＬＥＤ照明３と、電源電力を供給する商用電源１と、ＬＥＤ照明ユニット３ａ、３ｂ、３ｃ、３ｄに対して商用電源１からの電源電力を直流電源に変換して供給することで点灯させる複数（ここでは２系統）の電源ユニット２ａ、２ｂを有する電源装置２と、ＬＥＤ照明ユニット３ａ、３ｂ、３ｃ、３ｄに流れる電流を検出する電流検出器４ａ、４ｂ、４ｃと、電流検出器４ａ、４ｂ、４ｃにより検出される電流値に基づいて各ＬＥＤ照明ユニット３ａ、３ｂ、３ｃ、３ｄに流れる電流の異常を検出する電流異常検出装置５と、ＬＥＤ照明ユニット３ａ、３ｂ、３ｃ、３ｄへの直流電源の供給を遮断する電源遮断装置８と、電源遮断装置８での直流電源の供給の遮断を制御する制御装置６と、電源遮断装置８での直流電源の供給の遮断時にＬＥＤ照明３のＬＥＤ照明ユニット３ａ、３ｂ、３ｃ、３ｄへ電源を供給するバッテリ７と、制御装置６の制御指令により電源遮断装置８でのＬＥＤ照明ユニット３ａ、３ｂ、３ｃ、３ｄへの直流電源の供給の遮断時にＬＥＤ照明ユニット３ａ、３ｂ、３ｃ、３ｄへ個々にバッテリ７からの電源を供給するバッテリ電源供給装置９、９′と、を備えている。
【００１１】
このうち、商用電源１と電源装置２における電源ユニット２ａ、２ｂの正極（＋）側とにはリレー（Ｒｙ１）が介在接続され、同様に商用電源１と電源装置２における電源ユニット２ａ、２ｂの負極（−）側との間に接続されて係るリレー（Ｒｙ１）の入力側にも接続されたリレー（Ｒｙ１）１１が商用電源１の電源電力供給の遮断を検出する商用電源検出用として設けられている。また、電源遮断装置８は、リレー（Ｒｙａ）２１、リレー（Ｒｙｂ）２２、リレー（Ｒｙｃ）２３、リレー（Ｒｙｄ）２４を備え、これらをオンにした接点開成状態でそれぞれ電源ユニット２ａ、２ｂから供給されるＬＥＤ照明ユニット３ａ、３ｂ、３ｃ、３ｄへの直流電源を遮断する。具体的には、電源ユニット２ａの正極（＋）側に電流検出器４ｂを介在させて接続されたリレー（Ｒｙｃ）２３、リレー（Ｒｙｄ）２４がオンとされる接点開成状態でそれぞれＬＥＤ照明ユニット３ｃ、３ｄへの直流電源を遮断し、電源ユニット２ｂの正極（＋）側に電流検出器４ａを介在させて接続されたリレー（Ｒｙａ）２１、リレー（Ｒｙｂ）２２がオンされる接点開成状態でそれぞれＬＥＤ照明ユニット３ａ、３ｂへの直流電源を遮断する。
【００１２】
更に、バッテリ電源供給装置９は、バッテリ７の正極（＋）側に電流検出器４ｃ及びオンされる接点開成状態で電源供給を遮断するリレー（Ｒｙ１）を介在接続させて入力側が接続されるリレー（Ｒｙ２）１２、リレー（Ｒｙ３）１３、リレー（Ｒｙ４）１４、リレー（Ｒｙ５）１５を備え、リレー（Ｒｙ２）１２の出力側が電源遮断装置８のリレー（Ｒｙａ）２１の出力側及びＬＥＤ照明３のＬＥＤ照明ユニット３ａの正極（＋）側に接続され、リレー（Ｒｙ３）１３の出力側が電源遮断装置８のリレー（Ｒｙｂ）２２の出力側及びＬＥＤ照明３のＬＥＤ照明ユニット３ｂの正極（＋）側に接続され、リレー（Ｒｙ４）１４の出力側が電源遮断装置８のリレー（Ｒｙｃ）２３の出力側及びＬＥＤ照明３のＬＥＤ照明ユニット３ｃの正極（＋）側に接続され、リレー（Ｒｙ５）１５の出力側が電源遮断装置８のリレー（Ｒｙｄ）２４の出力側及びＬＥＤ照明３のＬＥＤ照明ユニット３ｄの正極（＋）側に接続されている。
【００１３】
加えて、バッテリ電源供給装置９′は、バッテリ７の負極（−）側と電源装置２の電源ユニット２ａ、２ｂ及びＬＥＤ照明３のＬＥＤ照明ユニット３ａ、３ｂ、３ｃ、３ｄの負極（−）側との接続線に介在接続されてオンされる接点開成状態で電源供給を遮断するリレー（Ｒｙ１）の入力側に並列接続されたリレー（Ｒｙ２）１２、リレー（Ｒｙ３）１３、リレー（Ｒｙ４）１４、リレー（Ｒｙ５）１５に対して、オンされる接点開成状態で電源供給を遮断するリレー（Ｒｒｓｔ）２９及びリレー（Ｒｙａａ）２５、同様なリレー（Ｒｒｓｔ）及びリレー（Ｒｙｂｂ）２６、同様なリレー（Ｒｒｓｔ）及びリレー（Ｒｙｃｃ）２７、同様なリレー（Ｒｒｓｔ）及びリレー（Ｒｙｄｄ）２８がそれぞれ直列接続されると共に、リレー（Ｒｙａａ）２５に対してリレー（Ｒｙ２）、リレー（Ｒｙｂｂ）２６に対してリレー（Ｒｙ３）、リレー（Ｒｙｃｃ）２７に対してリレー（Ｒｙ４）、リレー（Ｒｙｄｄ）２８に対してリレー（Ｒｙ４）がそれぞれ並列接続された上でバッテリ７の正極（＋）側の電流検出器４ｃの入力側に接続されている。
【００１４】
ところで、このエレベータ用乗りかご内照明装置では、制御装置６からの制御指令により電源遮断装置８での各ＬＥＤ照明ユニット３ａ、３ｂ、３ｃ、３ｄへの直流電源の供給の遮断時にバッテリ電源供給装置９、９′でＬＥＤ照明ユニット３ａ、３ｂ、３ｃ、３ｄへ個々にバッテリ７からの電源供給を行わせる機能持たせるものであるが、係る機能を働かせるため、制御装置６の制御指令により電源遮断装置８でのＬＥＤ照明ユニット３ａ、３ｂ、３ｃ、３ｄへの直流電源の供給の遮断を個々に制御すると共に、バッテリ電源供給装置９、９′でのＬＥＤ照明ユニット３ａ、３ｂ、３ｃ、３ｄへのバッテリ７からの電源の供給を個々に制御するためのスイッチング素子による電子スイッチを用いる。
【００１５】
図２は、実施例１に係るエレベータ用乗りかご内照明装置の要部である制御装置６による電子スイッチ３０を用いた電源遮断装置８及びバッテリ電源供給装置９′への電源切り替え機能を示した回路図である。図２を参照すれば、ここでは電子スイッチ３０のスイッチング素子として汎用的なトランジスタ素子によるスイッチ１〜スイッチ９を用いており、各トランジスタにおけるベース電極側が制御装置６からの制御指令を受けてドライブされるようになっており、コレクタ電極側が電源遮断装置８及びバッテリ電源供給装置９′の局部を除く他部構成による電源回路１０に接続され、エミッタ電極側がリレー２１〜２９の介在接続を経て電源回路１０に接続される構成となっている。具体的に云えば、電子スイッチ３０におけるスイッチ１〜スイッチ４のエミッタ電極側は、電源遮断装置８のリレー（Ｒｙａ）２１、リレー（Ｒｙｂ）２２、リレー（Ｒｙｃ）２３、リレー（Ｒｙｄ）２４に接続され、スイッチ５〜スイッチ９のエミッタ電極側は、バッテリ電源供給装置９′のリレー（Ｒｙａａ）２５、リレー（Ｒｙｂｂ）２６、リレー（Ｒｙｃｃ）２７、リレー（Ｒｙｄｄ）２８、リレー（Ｒｒｓｔ）２９に接続されている。
【００１６】
即ち、電子スイッチ３０のスイッチ１〜スイッチ４は、ベース電極側でドライブされたスイッチング動作によりエミッタ電極側に接続された電源遮断装置８におけるリレー（Ｒｙａ）２１、リレー（Ｒｙｂ）２２、リレー（Ｒｙｃ）２３、リレー（Ｒｙｄ）２４をオンとした接点開成状態にして切り替え制御することにより、ＬＥＤ照明３のＬＥＤ照明ユニット３ａ、３ｂ、３ｃ、３ｄへの電源供給を個別に遮断することができる。また、電子スイッチ３０のスイッチ５〜スイッチ８は、ベース電極側でドライブされたスイッチング動作によりエミッタ電極側に接続されたバッテリ電源供給装置９′におけるリレー（Ｒｙａａ）２５、リレー（Ｒｙｂｂ）２６、リレー（Ｒｙｃｃ）２７、リレー（Ｒｙｄｄ）２８をオンとした接点閉成状態にすると共に、略図したリレー（Ｒｙ２）１２、リレー（Ｒｙ３）１３、リレー（Ｒｙ４）１４、リレー（Ｒｙ５）１５についても同様に制御装置６の制御指令で同様にオンとした接点閉成状態にすること（略図したバッテリ電源供給装置９の同じ構成部分についても同様）で切り替え制御することにより、ＬＥＤ照明３のＬＥＤ照明ユニット３ａ、３ｂ、３ｃ、３ｄへの電源供給をバッテリ７から個別に行わせることができる。更に、電子スイッチ３０におけるスイッチ９は、ベース電極側でドライブされたスイッチング動作によりエミッタ電極側に接続されたバッテリ電源供給装置９′におけるリレー（Ｒｒｓｔ）２９を駆動してリレー（Ｒｙ２）１２、リレー（Ｒｙ３）１３、リレー（Ｒｙ４）１４、リレー（Ｒｙ５）１５の接点状態をリセットにする（バッテリ電源供給装置９の同じ構成部分についても制御装置６の制御指令により同様にリセットされる）。
【００１７】
ところで、実施例１に係るエレベータ用乗りかご内照明装置では、制御装置６の制御指令により一定時間エレベータ（乗りかご）の利用がないときに電子スイッチ３０を制御してＬＥＤ照明３の各ＬＥＤ照明ユニット３ａ、３ｂ、３ｃ、３ｄの１つ（例えば３ａ）を除いて電源遮断装置８により直流電源の供給を遮断すると共に、１つの照明ユニット（３ａ）の電流異常検出装置５による検出結果に基づいて異常がなければその１つの照明ユニット（３ａ）を停電灯とみなして停電時にバッテリ電源供給装置９、９′を制御してバッテリ７から電源供給を行わせ、異常があれば電子スイッチ３０を制御して電源遮断装置８により直流電源の供給を遮断すると共に、他の１つの照明ユニット（例えば３ｂ）を停電灯とみなして停電時にバッテリ電源供給装置９、９′を制御してバッテリ７から電源供給を行わせる機能を持つ。
【００１８】
また、実施例１に係るエレベータ用乗りかご内照明装置の制御装置６は、１つのＬＥＤ照明ユニット（例えば３ａ）について、電流異常検出装置５による検出結果に基づいて異常がなくて停電灯とみなした場合、そのＬＥＤ照明ユニット（３ａ）を正常であると記録した後、次回以降は別なＬＥＤ照明ユニット（例えば３ｂ）を対象にして１つずつ順次（３ａ→３ｂ→３ｃ→３ｄ→３ａ…）電流異常の点検を行い、異常があって停電灯とみなせない場合、その照明ユニット（３ａ）を異常であると記録した後、次回以降はその照明ユニット（３ａ）を除外した別な照明ユニット（例えば３ｂ）を対象にして１つずつ順次（３ｂ→３ｃ→３ｄ→３ｂ…）電流異常の点検を行うことにより、ＬＥＤ照明ユニット３ａ、３ｂ、３ｃ、３ｄにおける検出結果の記録を蓄積すると共に、正常なものを対象にした電流異常の点検を継続して行う機能を持たせることが好ましい。
【００１９】
図３は、実施例１に係るエレベータ用乗りかご内照明装置の要部である制御装置６による電源切り替え機能の動作処理を示したフローチャートである。図３を参照すれば、制御装置６による電源切り替え機能では、最初に一定時間継続してエレベータ（乗りかご）の呼びがないか否かの判定（ステップＳ１）を行い、この判定の結果、呼びがあればこの処理の前に戻って判定を継続するが、呼びがなければ、制御装置６は電源遮断装置８におけるリレー（Ｒｙａ）２１以外のリレー（Ｒｙｂ）２２、リレー（Ｒｙｃ）２３、リレー（Ｒｙｄ）２４をオンにして接点開成状態にすることで直流電源を遮断し、ＬＥＤ照明３におけるＬＥＤ照明ユニット３ｂ、３ｃ、３ｄを消灯する（ステップＳ２）処理を行う。この後、電流検出器４ａにより電源ユニット２ｂからの直流電源の供給で電源遮断装置８におけるリレー（Ｒｙａ）２１を経由してＬＥＤ照明ユニット３ａに流れる電流を検出する（ステップＳ３）処理が行われる。
【００２０】
次に、制御装置６は、電流検出器４ａで検出されたＬＥＤ照明ユニット３ａに流れる電流値は正常であるか否かの判定（ステップＳ４）を電流異常検出装置５による判断を受けて行う。この判定の結果、正常であれば、制御装置６にて電子スイッチ３０のスイッチ５を動作させてバッテリ電源供給装置９′におけるリレー（Ｒｙａａ）２５をオンしてリレー（Ｒｙ２）１２をオンする（バッテリ電源供給装置９の同じ構成部分についても同様）ことによりそれらの接点を閉成状態としてＬＥＤ照明ユニット３ａを停電灯として停電時に使用する（ステップＳ５）処理の設定を行った後、制御装置６はＬＥＤ照明ユニット３ａが正常である事を記録して次回ＬＥＤ照明ユニット３ｂを診断することを計画する。但し、制御装置６は、正常時には上述した３ａ→３ｂ→３ｃ→３ｄ→３ａ…のパターンでＬＥＤ照明ユニットを点検できるように電源遮断装置８を制御する（ステップＳ６）処理を行ってから動作処理を終了する。
【００２１】
これに対し、ＬＥＤ照明ユニット３ａに流れる電流値が正常でなければ（異常であれば）、制御装置６は電源遮断装置８におけるリレー（Ｒｙａ）２１をオンにして接点開成状態とすることでＬＥＤ照明ユニット３ａの商用電源１からの電源供給（それを受ける電源ユニット２ｂからの直流電源）を遮断し消灯すると共に、ＬＥＤ照明ユニット３ａの異常を記録する（ステップＳ７）処理を行う。更に、制御装置６にて電子スイッチ３０のスイッチ６を動作させてバッテリ電源供給装置９′におけるリレー（Ｒｙｂｂ）２６をオンしてリレー（Ｒｙ３）１３をオンする（バッテリ電源供給装置９の同じ構成部分についても同様）ことによりそれらを接点閉成状態として停電時に使用する停電灯（ＬＥＤ照明ユニット）をＬＥＤ照明ユニット３ｂに切替える（ステップＳ８）処理の設定を行う。この後、制御装置６は異常と判定したＬＥＤ照明ユニット３ａを除くＬＥＤ照明ユニット３ｂ、３ｃ、３ｄの診断ができるように次回一定時間エレベータ（乗りかご）の呼びがないときに診断するＬＥＤ照明ユニットを決定する（ステップＳ９）処理を経て動作処理を終了する。
【００２２】
因みに、図３の制御装置６による電源切り替え機能の動作処理のステップＳ９では、ステップＳ８でＬＥＤ照明ユニット３ｂを点灯させようとした際、ステップＳ４からの処理をＬＥＤ照明ユニット３ｂを対象にして同様な手順で行わせ、上述した３ｂ→３ｃ→３ｄ→３ｂ…のパターンでＬＥＤ照明ユニットを点検できるように電源遮断装置８を制御する処理を行わせるようにしても良い。また、ＬＥＤ照明３におけるＬＥＤ照明ユニット３ａ、３ｂ、３ｃ、３ｄの何れかが異常であると検出された場合（全ての場合を含む）には、電話回線等の通信回線を用いて監視センタ等に通報することが好ましい。そうすれば、保守点検管理上で異常箇所がいち早く修理され、電源供給経路が遮断される等の異常発生時に故障で点灯の対応ができなくなるような事態を回避することができる。
【００２３】
何れにしても、実施例１に係るエレベータ用乗りかご内照明装置によれば、乗りかごに取り付けられる各ＬＥＤ照明ユニット３ａ、３ｂ、３ｃ、３ｄを持つＬＥＤ照明３における１つのＬＥＤ照明ユニット３ａを停電灯として兼用する際、制御装置６の制御指令により一定時間エレベータ（乗りかご）の利用がないときにＬＥＤ照明ユニット３ａを除いて電源遮断装置８により電源ユニット２ａ、２ｂからの直流電源供給を遮断すると共に、そのＬＥＤ照明ユニット３ａの電流異常検出装置５による電流検出の結果に応じて正常であればその旨を記録して、ＬＥＤ照明ユニット３ａを停電灯とみなして停電時にバッテリ電源供給装置９、９′を制御してバッテリ７から電源供給を行わせ、異常があれば電源遮断装置８により直流電源供給を遮断すると共に、他の１つのＬＥＤ照明ユニット３ｂを停電灯とみなして停電時にバッテリ電源供給装置９、９′を制御してバッテリ７から電源供給を行わせるため、予め決められたＬＥＤ照明３におけるＬＥＤ照明ユニット３ａが故障していても、他のＬＥＤ照明ユニット３ｂへ電源供給を切り替えて使用することができるため、停電時に乗りかご内で可能な限り照度を保ち、照度を低下させる不具合を防止することができるようになる。
【００２４】
尚、実施例１に係るエレベータ用乗りかご内照明装置では、制御装置６の制御指令により電源遮断装置８におけるリレー（Ｒｙａ）２１、リレー（Ｒｙｂ）２２、リレー（Ｒｙｃ）２３、リレー（Ｒｙｄ）２４の何れか１つをオンして接点閉成状態にして直流電源の供給を行わせた状態で電流検出器４ａ、４ｂの何れかで検出した電流に基づいて電流異常検出装置５がＬＥＤ照明ユニット３ａ、３ｂ、３ｃ、３ｄの何れかの電流異常を検出する機能構成を説明したが、これらのリレー（Ｒｙａ）２１、リレー（Ｒｙｂ）２２、リレー（Ｒｙｃ）２３、リレー（Ｒｙｄ）２４を全てオンにして接点開成状態にすることで電源遮断装置８におけるＬＥＤ照明ユニット３ａ、３ｂ、３ｃ、３ｄへの全ての直流電源供給を遮断すると共に、バッテリ電源供給装置９、９′におけるリレー（Ｒｙ２）１２、リレー（Ｒｙ３）１３、リレー（Ｒｙ４）１４、リレー（Ｒｙ５）１５を対象にして一定時間エレベータ（乗りかご）の呼びがない毎に順番にオンにして接点閉成状態にしてバッテリ７からの電源供給を行わせ、そのときに電流検出器４ｃで検出した電流に基づいて電流異常検出装置５によってＬＥＤ照明ユニット３ａ、３ｂ、３ｃ、３ｄの電流異常を検出する機能構成へと変更しても良い。また、実施例１のエレベータ用乗りかご内照明装置では、ＬＥＤ照明３におけるＬＥＤ照明ユニット３ａ、３ｂ、３ｃ、３ｄの構成数、電源遮断装置８やバッテリ電源供給装置９、９′におけるリレー系の構成数を４系統とした構成の場合を開示したが、これらの構成数も４系統以外として任意に変更することができる。従って、本発明のエレベータ用乗りかご内照明装置は、実施例１で開示した形態のものに限定されない。
【符号の説明】
【００２５】
１  商用電源
２  電源装置
２ａ、２ｂ  電源ユニット
３  ＬＥＤ照明
３ａ〜３ｄ  ＬＥＤ照明ユニット
４ａ〜４ｃ  電流検出器
５  電流異常検出装置
６  制御装置
７  バッテリ
８  電流遮断装置
９、９′  バッテリ電源供給装置
１０  電源回路
１１〜１５、２１〜２９  リレー
３０  電子スイッチ
【図１】
2015003787.tif 000003
【図２】
2015003787.tif 000004
【図３】
2015003787.tif 000005